(57)【特許請求の範囲】
【請求項１】
１つのセンタノードと、複数のリモートノードが２本の光ファイバ伝送路を介して二重にリング状に接続された光波長多重リングネットワークにおいて、
前記センタノードは、センタノード及びリモートノードにおいて送信に利用するための二つの多波長光源を備えており、
前記センタノードで送信に利用するための多波長光源は、半導体レーザ（ＬＤ）の発振光周波数を等光間隔にＦ１，Ｆ２，Ｆ３，・・・，Ｆｎとしたとき、偶数番の発振光周波数を有する発振波長の異なるＬＤを複数有する光発生部、および、
合波された光発生部の出力光を強度変調する強度変調器と位相変調する位相変調器と、各変調器に印加する所定の正弦波周期信号を発生する周期信号発生器と、周期信号の印加電圧およびバイアス電圧を調整する電圧調整部からなる多波長化変調部、
により構成された多波長一括発生光源であり、
前記リモートノードで送信に利用するための多波長光源は、奇数番の発振光周波数を有するＬＤを複数個有する光発生部、および、
前記多波長化変調部により構成された多波長一括光源の構成を備えるもので、
前記センタノードで利用する多波長光源が発生した多波長光は、前記センタノードにおいて分波器によって前記波長帯域毎に分波された後、波長チャネル毎に分波され、変調されて合波され、センタノードから第１の光ファイバ伝送路に送出され、
前記リモートノードで送信に利用するための多波長光源が発生した多波長光は、センタノードから第２の光ファイバ伝送路に送出され、各リモートノードにおいて分岐され、
前記リモートノードに割り当てられた上りの波長帯域内の前記波長チャネル毎に分波され変調されて前記第１の光ファイバ伝送路に合波されるもので、
多波長光の不要なサイドバンドは合分波器の合分波特性によって除去され、不要なサイドバンドを取り除いた波の信号帯域が互いに重ならない範囲で隣接するように各波長帯域を設定されることで、
前記第２の光ファイバ伝送路は、前記センタノードから前記各リモートノードに対して上り信号光の搬送波となる無変調光の伝送に用い、前記第１の光ファイバ伝送路は、前記センタノードから前記各リモートノードへの下り信号光、および前記各リモートノードから前記センタノードへの上り信号光（無変調光を変調した信号光）の伝送に用いる構成であり、
前記無変調光（上り信号光）および前記下り信号光として、前記各リモートノードに対してそれぞれ複数の波長チャネルを含む固有の波長帯域を割り当て、かつ前記無変調光（上り信号光）と前記下り信号光の波長帯域を交互に設定する構成である
ことを特徴とする光波長多重リングネットワーク。
【請求項２】
１つのセンタノードと、複数のリモートノードが２本の光ファイバ伝送路を介して二重にリング状に接続された光波長多重リングネットワークにおいて、
前記センタノードは、センタノード及びリモートノードにおいて送信に利用するための二つの多波長光源を備えており、
前記センタノードで送信に利用するための多波長光源は、半導体レーザ（ＬＤ）の発振光周波数を等光間隔にＦ１，Ｆ２，Ｆ３，・・・，Ｆｎとしたとき、偶数番の発振光周波数を有する発振波長の異なるＬＤを複数有する光発生部、および、
合波された光発生部の出力光を強度変調する強度変調器と位相変調する位相変調器と、各変調器に印加する所定の正弦波周期信号を発生する周期信号発生器と、周期信号の印加電圧およびバイアス電圧を調整する電圧調整部からなる多波長化変調部、
により構成された多波長一括発生光源であり、
前記リモートノードで送信に利用するための多波長光源は、奇数番の発振光周波数を有するＬＤを複数個有する光発生部、および、
前記多波長化変調部により構成された多波長一括光源の構成を備えるもので、
前記センタノードで利用する多波長光源が発生した多波長光は、前記センタノードにおいて分波器によって前記波長帯域毎に分波された後、波長チャネル毎に分波され、変調されて合波され、センタノードから第１の光ファイバ伝送路に送出され、
前記リモートノードで送信に利用するための多波長光源が発生した多波長光は、前記リモートノードに割り当てられた上りの波長帯域内の波長チャネル毎に分波され、無変調のまま合波され、センタノードから第１の光ファイバ伝送路に送出され、各リモートノードにおいて分岐されるもので、
さらに前記リモートノードにおいては、前記無変調のまま合波された光信号が前記リモートノードに割り当てられた上りの波長帯域内の前記波長チャネル毎に分波され変調されて前記第２の光ファイバ伝送路に合波されるもので、
多波長光の不要なサイドバンドは合分波器の合分波特性によって除去され、不要なサイドバンドを取り除いた波の信号帯域が互いに重ならない範囲で隣接するように各波長帯域を設定されることで、
前記第1の光ファイバ伝送路は、前記センタノードから前記各リモートノードへの下り信号光、および前記センタノードから前記各リモートノードに対して上り信号光の搬送波となる無変調光の伝送に用い、前記第２の光ファイバ伝送路は、前記各リモートノードから前記センタノードへの上り信号光（無変調光を変調した信号光）の伝送に用いる構成であり、
前記無変調光（上り信号光）および前記下り信号光として、前記各リモートノードに対してそれぞれ複数の波長チャネルを含む固有の波長帯域を割り当て、かつ前記無変調光（上り信号光）と前記下り信号光の波長帯域を交互に設定する構成である
ことを特徴とする光波長多重リングネットワーク。
【請求項３】
請求項１に記載の光波長多重リングネットワークにおいて、
前記センタノードは、上り信号用の多波長光源の後段に、センタノードから各リモートノードに供給する上り信号用波長帯域の無変調光を無偏光化する無偏光化手段を備えた
ことを特徴とする光波長多重リングネットワーク。
【請求項４】
請求項１に記載の光波長多重リングネットワークにおいて、
前記センタノードは、下り信号用の多波長光源の後段に、下り信号用に割り当てた多波長光を無偏光化する無偏光化手段を備えた
ことを特徴とする光波長多重リングネットワーク。
【発明の詳細な説明】
【０００１】
【発明の属する技術分野】
本発明は、波長分割多重（ＷＤＭ）技術を用いて、リング状に接続されたセンタノードと複数のリモートノード間の通信を行う光波長多重リングネットワークに関する。
【０００２】
【従来の技術】
従来の光波長多重リングネットワークには、各リモートノードにそれぞれ光源を有するタイプＡ１と、センタノードに多波長光源を配置し、各リモートノードはセンタノードから送信された連続（ＣＷ）光を受信し、変調して送信するタイプＡ２がある。また、各リモートノードで光信号の分岐挿入（アド・ドロップ）を行うための構成として、光ファイバ伝送路から光フィルタを用いて所定の波長の光信号を分波／合波するタイプＢ１と、光カプラを用いて光信号パワーの一部を分岐してから所定の波長の光信号を選択受信するタイプＢ２がある。例えば、タイプＡ２とタイプＢ１を組み合わせたものとしては、特開平７−２３１３０５号公報に記載の光波長多重ネットワークが知られている。
【０００３】
ここで、上記公報には多波長光源として、マルチモードレーザの縦モード、あるいはシングルモードレーザの出力光を変調してそのサイドバンドを切り出す構成のものが開示されている。しかし、このような光源では、通信に用いることができる光パワーをもつ縦モード周波数あるいはサイドバンド周波数の数が限られるとともに、その周波数に対するパワーの平坦性が悪く、波長数が 100波を越えるようなネットワークの多波長光源としては用いることができない。
【０００４】
この問題を解決する多波長光源として、単一の中心波長を有する光を特定の繰り返し周期を有する電気信号（例えば正弦波）を用いて位相変調および強度変調を行い、サイドバンドを発生させることにより多波長光を一括して発生させる多波長一括発生装置（（特願２００１−１９９７９１）、以下「先願」という。）が出願されている。
【０００５】
図１４は、先願の多波長一括発生装置の構成例を示す。図において、多波長一括発生装置は、光発生部１０および多波長化変調部２０により構成される。光発生部１０は、単一の中心波長の光を発生する半導体レーザ（ＬＤ）１１を有する。多波長化変調部２０は、光発生部１０の出力光を強度変調する強度変調器２１および位相変調する位相変調器２２と（各変調器の順番は任意）、各変調器に印加する所定の周期信号（正弦波）を発生する周期信号発生器２３と、周期信号の印加電圧およびバイアス電圧を調整する電圧調整部２４，２５から構成される。
【０００６】
ここで、図１５および図１６を参照して先願の多波長一括発生装置における出力光スペクトルの平坦化の原理について説明する。
【０００７】
周期信号発生器２３の出力信号電圧の時間波形は、図１５(a) に示すような山型の関数とする。この関数に従って単一の中心波長（角周波数ωC ）の光を位相変調すると、その出力光スペクトルは図１５(b) に示すようになる。これは次のように説明される。
【０００８】
この位相変調の角周波数は、図１５(c) に示すように瞬時値ωm と瞬時値−ωm の間を所定周期で往復する方形波である。図１５(d) の実線に示すように、この方形波の角周波数が瞬時値ωm で表される部分について繰り返しＮＲＺ信号でゲートをかけると、その光スペクトルは図１５(e) で表され、角周波数が（ωC ＋ωm ）を中心とする繰り返しＮＲＺ信号の光スペクトルが得られる。また、図１５(f) の実線に示すように、この方形波の角周波数が瞬時値−ωm で表される部分について同様にゲートをかけると、その光スペクトルは図１５(g) で表され、角周波数が（ωC −ωm ）を中心とする繰り返しＮＲＺ信号の光スペクトルが得られる。
【０００９】
これらの光スペクトルの角周波数軸上での重ね合わせは、図１５(e) と図１５(g) を加算した図１５(b) で表され、角周波数の瞬時値ωC 付近の光スペクトル強度が小さくなり、光スペクトルの平坦化を実現することができない。そこで、各変調器に印加する周期信号の印加電圧およびバイアス電圧を調整し、次のように平坦化を行う。
【００１０】
図１６(a) に示すように、各周波数の瞬時値ωm と−ωm をまたぐように、繰り返しＮＲＺ信号でゲートをかけるように調整した場合の出力光スペクトルを考える。これに対して、図１６(c) の実線に示すように、角周波数が瞬時値ωm で表される部分について繰り返しのＲＺ信号でゲートをかけると、その光スペクトルは図１６(d) で表され、角周波数が（ωC ＋ωm ）を中心とする繰り返しＲＺ信号の光スペクトルが得られる。また、図１６(e) の実線に示すように、角周波数が瞬時値−ωm で表される部分について同様にゲートをかけると、その光スペクトルは図１６(f) で表され、角周波数が（ωC −ωm ）を中心とする繰り返しＲＺ信号の光スペクトルが得られる。両光スペクトルは、上記の繰り返しＮＲＺ信号の光スペクトルよりも広い帯域を有する。
【００１１】
これらの光スペクトルの角周波数軸上での重ね合わせは図１６(b) で表され、角周波数の瞬時値ωC 付近においても大きな光スペクトル強度を有することになり、結果として出力光スペクトルの平坦化を実現することができる。このように、単一の中心波長を有する光の振幅および位相を変調する周期信号を適宜設定し、さらに周期信号の印加電圧およびバイアス電圧を調整して強度変調および位相変調を行うことにより、容易に出力光スペクトルの平坦度を向上させることができる。
【００１２】
なお、光発生部１０は、図１７に示すように、等光周波数間隔で複数の光周波数ｆ１〜ｆｎの光を発生するｎ個の半導体レーザ（ＬＤ）１１−１〜１１−ｎを備え、合波器１２で各レーザ光を合波して出力光とする構成としてもよい。この場合には、図１８に示すように、多波長化変調部２０で各中心波長に対してサイドバンドが発生し、さらに広帯域にわたって多波長光を一括発生させることができる。この構成では、合波器１２の入力ポートに光源を増設することによりサイドバンドの数を増やすことが可能であり、増設性に優れている。
【００１３】
【発明が解決しようとする課題】
ところで、図１７に示す多波長一括発生装置では、複数の光源の中心波長に対してそれぞれ発生するサイドバンドが重なる問題がある。この問題を回避するには、各光源の光周波数間隔を十分に大きくとる必要がある。あるいは、各光源の中心波長に対して発生するサイドバンドから不要なサイドバンドを除去する必要がある。
【００１４】
しかし、前者の方法では光周波数の利用効率が低下し、後者の方法では多波長一括発生装置の構成が複雑になるとともに、光フィルタ等を用いる場合には光損失の影響で光ＳＮ比の劣化を招くことになる。
【００１５】
本発明は、センタノードと複数のリモートノードをリング状に接続した構成において、センタノードに配置する多波長光源から発生する不要なサイドバンドをセンタノードおよびリモートノードでそれぞれ分担して効率的に除去し、簡単な構成で光周波数の利用効率を高めることができる光波長多重リングネットワークを提供することを目的とする。
【００１６】
【課題を解決するための手段】
本発明は、１つのセンタノードと、複数のリモートノードが２本の光ファイバ伝送路を介してリング状に接続された光波長多重リングネットワークにおいて、第１の光ファイバ伝送路は、センタノードから各リモートノードに対して上り信号光の搬送波となる無変調光の伝送に用い、第２の光ファイバ伝送路は、センタノードから各リモートノードへの下り信号光、および各リモートノードからセンタノードへの上り信号光（無変調光を変調した信号光）の伝送に用いる構成であり、無変調光（上り信号光）および下り信号光として、各リモートノードに対してそれぞれ固有の波長帯域を割り当て、かつ無変調光（上り信号光）と下り信号光の波長帯域を交互に設定する構成である（請求項１）。
【００１７】
このセンタノードは、各リモートノードの上り信号光用に割り当てた第１の波長帯域（Ｆ１，Ｆ３，…）の多波長光（無変調光）を第１の光ファイバ伝送路に送出する第１の多波長光源と、各リモートノードの下り信号光用に割り当てた第２の波長帯域（Ｆ２，Ｆ４，…）の多波長光を出力する第２の多波長光源と、第２の波長帯域の多波長光からそれぞれ複数の波長チャネルの無変調光を分波し、各リモートノードに送信する信号でそれぞれ変調して下り信号光を生成し、第２の光ファイバ伝送路に送出する光変調部と、第２の光ファイバ伝送路を介して伝送される各リモートノードからの上り信号光をそれぞれ分波して受信する光受信部とを備える（請求項２）。
【００１８】
また、このセンタノードは、無変調光を２分岐し、第１の光ファイバ伝送路に両方向に送信する第１の光分岐手段と、下り信号光を２分岐し、第２の光ファイバ伝送路に両方向に送信する第２の光分岐手段と、第２の光ファイバ伝送路の両端に到達する各リモートノードからの上り信号光の一方または両方を選択して光受信部に接続する光選択手段とを備えてもよい（請求項３）。
【００１９】
リモートノードは、第１の光ファイバ伝送路を介して伝送される第１の波長帯域の多波長光を分岐する光分岐手段と、第１の波長帯域からリモートノードに割り当てられた波長帯域の各波長チャネルの無変調光を分波し、それぞれ変調し、合波して上り信号光を生成する光変調部と、上り信号光を第２の光ファイバ伝送路に結合する光結合手段と、第２の光ファイバ伝送路を介して伝送される下り信号光を分岐する光分岐手段と、下り信号光からリモートノードに割り当てられた波長帯域の各波長チャネルの信号光を分波して受信する光受信部とを備える（請求項４）。
【００２０】
また、このリモートノードの第１の光分岐手段は、第１の光ファイバ伝送路を両方向に伝送される無変調光を分岐し、その一方を選択して光変調部に接続する構成であり、光結合手段は、上り信号光を第２の光ファイバ伝送路に両方向に結合する構成であり、第２の光分岐手段は、第２の光ファイバ伝送路を両方向に伝送される下り信号光を分岐し、その一方を選択して光受信部に接続する構成としてもよい（請求項５）。
【００２１】
また、本発明は、１つのセンタノードと、複数のリモートノードが２本の光ファイバ伝送路を介してリング状に接続された光波長多重リングネットワークにおいて、第１の光ファイバ伝送路は、センタノードから各リモートノードに対して上り信号光の搬送波となる無変調光、およびセンタノードから各リモートノードへの下り信号光の伝送に用い、第２の光ファイバ伝送路は、各リモートノードからセンタノードへの上り信号光（無変調光を変調した信号光）の伝送に用いる構成であり、無変調光（上り信号光）および下り信号光として、各リモートノードに対してそれぞれ固有の波長帯域を割り当て、かつ無変調光（上り信号光）と下り信号光の波長帯域を交互に設定する構成である（請求項６）。
【００２２】
このセンタノードは、各リモートノードの上り信号光用に割り当てた第１の波長帯域（Ｆ１，Ｆ３，…）の多波長光（無変調光）を出力する第１の多波長光源と、第１の波長帯域の多波長光からそれぞれ複数の波長チャネルの無変調光を分波し、さらに合波して第１の波長帯域の無変調光を出力する光フィルタ手段と、各リモートノードの下り信号光用に割り当てた第２の波長帯域（Ｆ２，Ｆ４，…）の多波長光を出力する第２の多波長光源と、第２の波長帯域の多波長光からそれぞれ複数の波長チャネルの無変調光を切り出し、各リモートノードに送信する信号でそれぞれ変調して下り信号光を生成する光変調部と、第１の波長帯域の無変調光および下り信号光を結合して第１の光ファイバ伝送路に送出する光結合手段と、第２の光ファイバ伝送路を介して伝送される各リモートノードからの上り信号光をそれぞれ分波して受信する光受信部とを備える（請求項７）。
【００２３】
また、このセンタノードは、光結合手段で結合された無変調光および下り信号光を２分岐し、第１の光ファイバ伝送路に両方向に送信する光分岐手段と、第２の光ファイバ伝送路の両端に到達する各リモートノードからの上り信号光の一方または両方を選択して光受信部に接続する光選択手段とを備えてもよい（請求項８）。
【００２４】
リモートノードは、第１の光ファイバ伝送路を介して伝送される第１の波長帯域の無変調光および第２の波長帯域の下り信号光を分岐する光分岐手段と、第１の波長帯域の無変調光からリモートノードに割り当てられた波長帯域の各波長チャネルの無変調光を分波し、それぞれ変調し、合波して上り信号光を生成する光変調部と、上り信号光を第２の光ファイバ伝送路に結合する光結合手段と、下り信号光からリモートノードに割り当てられた波長帯域の各波長チャネルの信号光を分波して受信する光受信部とを備える（請求項９）。
【００２５】
また、このリモートノードの光分岐手段は、第１の光ファイバ伝送路を両方向に伝送される無変調光および下り信号光を分岐し、その一方を選択して光変調部に接続する構成とし、光結合手段は、上り信号光を第２の光ファイバ伝送路に両方向に結合する構成としてもよい（請求項１０）。
【００２６】
また、センタノードは、第１の多波長光源の後段に、センタノードから各リモートノードに供給する第１の波長帯域の無変調光を無偏光化する無偏光化手段を備えてもよい（請求項１１）。また、センタノードは、第２の多波長光源の後段に、下り信号用に割り当てた第２の波長帯域の多波長光を無偏光化する無偏光化手段を備えてもよい（請求項１２）。
【００２７】
【発明の実施の形態】
（第１の実施形態）
図１は、本発明の光波長多重リングネットワークの第１の実施形態を示す。
図において、センタノード１００とリモートノード２００−１〜２００−４は、２本の光ファイバ伝送路３０１，３０２を介してリング状に接続される。光ファイバ伝送路３０１は、センタノードから各リモートノードに対して上り信号光の搬送波となる無変調光の伝送に使用される。光ファイバ伝送路３０２は、センタノードから各リモートノードへの下り信号光、および各リモートノードからセンタノードへの上り信号光（無変調光を変調した信号光）の伝送に使用される。ただし、リモートノード間の通信は、必ずセンタノードを介して行われる。すなわち、リモートノードは光ファイバ伝送路３０１の無変調光を変調し、上り信号光として光ファイバ伝送路３０２を介して一旦センタノードに送信し、センタノードが各リモートノードに光ファイバ伝送路３０２を介して下り信号光として送信することにより、リモートノード間の通信が行われる。
【００２８】
ここで、本実施形態の特徴は、無変調光および各信号光として、各リモートノードに対してそれぞれ固有の波長帯域を割り当て、かつ無変調光（上り信号光）と下り信号光の波長帯域を交互に設定するところにある。具体的には、図２〜７を参照して説明する。図２は、光波長多重リングネットワークの各地点の信号状態を示す。図３〜４は、センタノード１００の構成例Ａ，Ｂを示す。図５〜７は、リモートノード２００−２の構成例Ａ，Ｂ，Ｃを示す。なお、他のリモートノードの構成も同様である。
【００２９】
（センタノード１００の構成例Ａ）
図１，３を参照してセンタノード１００の構成例Ａについて説明する。センタノード１００は、光ファイバ伝送路３０１に送信する無変調光の光源となる多波長光源１１０と、光ファイバ伝送路３０２に送信する下り信号光を生成する多波長光源１２０および光変調部１３０と、光ファイバ伝送路３０２からの上り信号光を受信する光受信部１４０と、上り信号と下り信号のインタフェースをとる信号インタフェース部１５０により構成される。
【００３０】
多波長光源１１０，１２０は、図１７に示す多波長一括発生装置の構成をとり、ここでは４つのリモートノードに対して８つの半導体レーザ（ＬＤ）１１、合波器１２、多波長化変調部２０により構成される。ただし、８つの半導体レーザ１１の発振光周波数を等光周波数間隔にｆ１，ｆ２，ｆ３，…，ｆ８とすると、多波長光源１１０では奇数番の発振光周波数ｆ１，ｆ３，ｆ５，ｆ７を有する半導体レーザを用い、多波長光源１２０では偶数番の発振光周波数ｆ２，ｆ４，ｆ６，ｆ８を有する半導体レーザを用いる。このとき、図２に示すように、多波長光源１１０が出力する多波長光▲１▼の帯域をＦ１，Ｆ３，Ｆ５，Ｆ７とし、多波長光源１２０が出力する多波長光▲２▼の帯域をＦ２，Ｆ４，Ｆ６，Ｆ８とする。ここで、各波長帯域ごとに波長チャネルとして用いる８波の両側に不要なサイドバンドが存在するが、不要なサイドバンドを取り除いた各８波の信号帯域が互いに重ならない範囲で隣接するように各波長帯域（各半導体レーザの発振光周波数）が設定される。これにより、高密度に各波長チャネルを設定することができる。
【００３１】
多波長光源１１０から出力される多波長光▲１▼は、無変調のまま各リモートノードの上り信号光用として光ファイバ伝送路３０１に送出され、光ファイバ伝送路３０１を１周してセンタノード１００に戻り、光終端される。
【００３２】
多波長光源１２０から出力される多波長光▲２▼は、光変調部１３０に入力される。光変調部１３０は、多波長光▲２▼を分波器１３１で複数（８波×４リモートノード）の波長チャネルの光に分波し、その各波長チャネル（ｆ21〜ｆ28、ｆ41〜ｆ48、ｆ61〜ｆ68、ｆ81〜ｆ88）の光を各リモートノードに対応する光変調器１３２−１１〜１３２−１８、…、１３２−４１〜１３２−４８でそれぞれ変調し、その変調光を合波器１３３で波長多重し、下り信号光▲３▼として光ファイバ伝送路３０２に送出する構成である（図２では下向きの矢印で示す）。このとき、多波長光▲２▼の不要なサイドバンドは、分波器１３１および合波器１３３の合分波特性によって除去される。
【００３３】
各リモートノード２００−１〜２００−４では、光ファイバ伝送路３０２の下り信号光▲３▼からそれぞれ割り当てられた波長帯域Ｆ２の波長チャネルｆ21〜ｆ28、波長帯域Ｆ４の波長チャネルｆ41〜ｆ48、波長帯域Ｆ６の波長チャネルｆ61〜ｆ68、波長帯域Ｆ８の波長チャネルｆ81〜ｆ88の信号光をそれぞれ分波して受信する。さらに、光ファイバ伝送路３０１の多波長光▲１▼からそれぞれ割り当てられた波長帯域Ｆ１の波長チャネルｆ11〜ｆ18、波長帯域Ｆ３の波長チャネルｆ31〜ｆ38、波長帯域Ｆ５の波長チャネルｆ51〜ｆ58、波長帯域Ｆ７の波長チャネルｆ71〜ｆ78の無変調光をそれぞれ分波し、それぞれ変調して上り信号光として光ファイバ伝送路３０２に送出する。このとき、図２の▲４▼、▲６▼、▲７▼、▲８▼に示すように、波長帯域Ｆ２，Ｆ４，Ｆ６，Ｆ８の下り光信号に対して波長帯域Ｆ１，Ｆ３，Ｆ５，Ｆ７の上り信号光が順次合流してセンタノード１００に到達する（リモートノードの構成については後述する）。
【００３４】
センタノード１００の光受信部１４０は、光ファイバ伝送路３０２からの上り信号光▲８▼を分波器１４１で各波長チャネルの信号光に分波し、その各波長チャネル（ｆ11〜ｆ18、ｆ31〜ｆ38、ｆ51〜ｆ58、ｆ71〜ｆ78）の信号光を各リモートノードに対応する光受信器１４２−１１〜１４２−１８、…、１４２−４１〜１４２−４８でそれぞれ受信する。光受信器１４２−１１〜１４２−１８、…、１４２−４１〜１４２−４８と、光変調器１３２−１１〜１３２−１８、…、１３２−４１〜１３２−４８は、信号インタフェース部１５０にそれぞれ接続される。信号インタフェース部１５０は、リモートノード間の信号接続制御および他のネットワークとの信号接続制御を行う。
【００３５】
なお、光変調部１３０の分波器１３１および合波器１３３と、光受信部１４０の分波器１４１は、例えばアレイ導波路回折格子（ＡＷＧ）を合分波器として用いて入出力ポートを適宜設定することにより、任意の２つあるいは３つを１つの合分波器で共有化する構成をとることが可能である。
【００３６】
（センタノードの構成例Ｂ）
次に、図４を参照してセンタノード１００の構成例Ｂについて説明する。本構成例Ｂの特徴は、構成例Ａにおける光変調器１３２および光受信器１４２を各リモートノード対応にまとめ、それぞれ光変調部１３０／光受信部１４０を構成する。多波長光源１２０からの多波長光は、群分波器１３４で波長帯域Ｆ２，Ｆ４，Ｆ６，Ｆ８に分波する。波長帯域Ｆ２の多波長光は、リモートノード２００−１に対応する光変調部１３０／光受信部１４０の分波器１３１で波長チャネルｆ21〜ｆ28の光に分波し、光変調器１４２〜１１〜１４２−１８でそれぞれ変調し、その変調光を合波器１３３で波長多重する。各リモートノードに対応する光変調部１３０／光受信部１４０からの各波長帯域の波長多重信号光は、群合波器１３５で波長多重され、下り信号光▲３▼として光ファイバ伝送路３０２に送出される。
【００３７】
光ファイバ伝送路３０２からの上り信号光▲８▼は、群分波器１４３で波長帯域Ｆ１，Ｆ３，Ｆ５，Ｆ７に分波する。波長帯域Ｆ１の上り信号光は、リモートノード２００−１に対応する光変調部１３０／光受信部１４０の分波器１４１で各波長チャネルｆ11〜ｆ18の信号光に分波し、それぞれ対応する光受信器１４２−１１〜１４２−１８でそれぞれ受信する。光受信器１４２−１１〜１４２−１８、…、１４２−４１〜１４２−４８と、光変調器１３２−１１〜１３２−１８、…、１３２−４１〜１３２−４８は、信号インタフェース部１５０にそれぞれ接続される。信号インタフェース部１５０は、リモートノード間の信号接続制御および他のネットワークとの信号接続制御を行う。
【００３８】
なお、各リモートノードに対応する光変調部１３０／光受信部１４０の分波器１３１、合波器１３３、分波器１４１は、例えばアレイ導波路回折格子（ＡＷＧ）を合分波器として用いて入出力ポートを適宜設定することにより、任意の２つあるいは３つを１つの合分波器で共有化する構成をとることが可能である。
【００３９】
（リモートノードの構成例Ａ）
次に、図１，５を参照してリモートノード２００−２の構成例Ａについて説明する。リモートノード２００−２は、光ファイバ伝送路３０１を伝送されている多波長光（無変調光）▲１▼を分岐する光カプラ２０１と、リモートノード２００−２に割り当てられた波長帯域Ｆ３の各波長チャネルｆ31〜ｆ38の無変調光を分波し、変調して上り信号光▲５▼を生成する光変調部２１０と、この上り信号光▲５▼を光ファイバ伝送路３０２に結合する光カプラ２０２と、光ファイバ伝送路３０２の下り信号光▲４▼を分岐する光カプラ２０３と、分岐された下り信号光▲４▼からリモートノード２００−２に割り当てられた波長帯域Ｆ４の各波長チャネルｆ41〜ｆ48の信号光を受信する光受信部２２０と、下り信号を図外のユーザ端末に接続し、ユーザ端末からの上り信号を光変調部２１０に接続する信号インタフェース部２３０により構成される。
【００４０】
光変調部２１０は、光ファイバ伝送路３０１から分岐された多波長光▲１▼から光フィルタ２０５でリモートノード２００−２に割り当てられた波長帯域Ｆ３を分波し、その波長帯域Ｆ３から分波器２１１で各波長チャネルｆ31〜ｆ38の無変調光を分波し、光変調器２１２−１〜２１２−８でそれぞれ変調し、その変調光を合波器２１３で波長多重し、上り信号光▲５▼として光ファイバ伝送路３０２に送出する構成である（図２では上向きの矢印で示す）。このとき、多波長光▲１▼の波長帯域Ｆ３の不要なサイドバンドは、分波器２１１および合波器２１３の合分波特性によって除去される。
【００４１】
光受信部２２０は、光ファイバ伝送路３０２から分岐された下り信号光▲４▼から光フィルタ２０６でリモートノード２００−２に割り当てられた波長帯域Ｆ４を分波し、その波長帯域Ｆ４から分波器２２１で各波長チャネルｆ41〜ｆ48の信号光を分波し、光受信器２２２−１〜２２２−８でそれぞれ受信する。ここで、光受信器２２２−１〜２２２−８と、光変調器２１２−１〜２１２−８は、信号インタフェース部２３０を介してそれぞれ図外の端末に接続される。
【００４２】
なお、光フィルタ２０５は、光分波器２１１が光ファイバ伝送路３０１の多波長光▲１▼から各リモートノードに割り当てた波長帯域のみを分波できる構成のものであれば必ずしも必要ではない。光フィルタ２０６についても同様である。以下の構成例では光フィルタ２０５，２０６はないものとして説明する。
【００４３】
（リモートノードの構成例Ｂ）
次に、図６を参照してリモートノード２００−２の構成例Ｂについて説明する。本構成例Ｂの特徴は、構成例Ａにおける光変調部２１０の分波器２１１および合波器２１３をアレイ導波路回折格子（ＡＷＧ）を用いた合分波器２１４に集約したところにある。なお、光受信部２２０は構成例Ａと同様である。ただし、本構成例では、上り信号光▲５▼を光ファイバ伝送路３０２に結合する光カプラ２０２の空ポートから下り信号光▲４▼を分岐し、光受信部２２０の分波器２２１に接続する構成としているが、これは構成例Ａでも可能である。
【００４４】
本構成例の光変調部２１０は、光ファイバ伝送路３０１から分岐された多波長光▲１▼を合分波器２１４に入力し、リモートノード２００−２に割り当てられた波長帯域Ｆ３の波長チャネルｆ31〜ｆ38の無変調光を分波し、光変調器２１２−１〜２１２−８でそれぞれ変調し、その変調光を合分波器２１４に折り返して波長多重し、上り信号光▲５▼として光ファイバ伝送路３０２に送出する構成である。合分波器２１４としてＡＷＧを用い、波長チャネルｆ31〜ｆ38に応じて入出力ポートを適宜選択することにより、図６に示すような構成が可能となる。
【００４５】
（リモートノードの構成例Ｃ）
次に、図７を参照してリモートノード２００−２の構成例Ｃについて説明する。本構成例Ｃの特徴は、構成例Ａにおける光変調部２１０の合波器２１３と光受信部２２０の分波器２２１をアレイ導波路回折格子（ＡＷＧ）を用いた合分波器２１５に集約したところにある。なお、本構成例では、上り信号光▲５▼を光ファイバ伝送路３０２に結合する光カプラ２０２の空ポートから下り信号光▲４▼を分岐し、合分波器２１５に接続する構成としている。
【００４６】
本構成例の光変調部２１０／光受信部２２０は、光ファイバ伝送路３０１から分岐された多波長光▲１▼を分波器２１１に入力し、リモートノード２００−２に割り当てられた波長帯域Ｆ３の波長チャネルｆ31〜ｆ38の無変調光を分波し、光変調器２１２−１〜２１２−８でそれぞれ変調し、その変調光を合分波器２１５で波長多重し、上り信号光▲５▼として光ファイバ伝送路３０２に送出する。また、光ファイバ伝送路３０２から分岐された下り信号光▲４▼を合分波器２１５に入力し、リモートノード２００−２に割り当てられた波長帯域Ｆ４の波長チャネルｆ41〜ｆ48の信号光を分波し、光受信器２２２−１〜２２２−８でそれぞれ受信する。合分波器２１５としてＡＷＧを用い、波長チャネルｆ31〜ｆ38およびｆ41〜ｆ48に応じて入出力ポートを適宜選択することにより、図７に示すような構成が可能となる。
【００４７】
以上示した第１の実施形態では、４つのリモートノードに対して、上り信号光および下り信号光としてそれぞれ１つの波長帯域を割り当てる例を示したが、リモートノードの数、各リモートノードに割り当てる波長帯域の数および配列は任意である。ただし、例えばあるリモートノードに下り信号光の波長帯域としてＦ２とＦ４の２つを割り当てる場合に、光受信部２２０の分波器２２１としてその２つの波長帯域の波長チャネルを分波できるものを用いるか、あるいは各波長帯域ごとに独立した分波器を用いる構成としてもよい。光変調部２１０の構成においても同様である。また、各波長帯域あたり８波の波長チャネルを設定しているがその数も任意である。
【００４８】
また、図３〜４に示したセンタノード１００の構成、図５〜７に示したリモートノード２００−２の構成には、必要最小限のもののみを記載しているが、例えば光増幅器、波長チャネル間の光パワーを均一にする光等化手段、ＡＳＥ光を除去する光バンドパスフィルタ等をそれぞれ所定の位置に配置してもよい。
【００４９】
また、本実施形態では、センタノードから各リモートノードへの多波長光の伝送に使用される光ファイバ伝送路３０１の伝送方向と、センタノードから各リモートノードへの下り信号光の伝送および各リモートノードからセンタノードへの上り信号光の伝送に使用される光ファイバ伝送路３０２の伝送方向を同一方向（図では左回り）としたが、互いに異なる伝送方向としてもよい。すなわち、各リモートノードは、光ファイバ伝送路３０１を介して伝送された多波長光を変調し、上り信号光として光ファイバ伝送路３０２を介してセンタノードへ折り返すように伝送してもよい。
【００５０】
（第２の実施形態）
図８は、本発明の光波長多重リングネットワークの第２の実施形態を示す。
図において、センタノード１００とリモートノード２００−１〜２００−４は、２本の光ファイバ伝送路３０１，３０２を介してリング状に接続される。光ファイバ伝送路３０１は、センタノードから各リモートノードに対して上り信号光の搬送波となる無変調光、およびセンタノードから各リモートノードへの下り信号光の伝送に使用される。光ファイバ伝送路３０２は、各リモートノードからセンタノードへの上り信号光（無変調光を変調した信号光）の伝送に使用される。ただし、リモートノード間の通信は、必ずセンタノードを介して行われる。すなわち、リモートノードは光ファイバ伝送路３０１の無変調光を変調し、上り信号光として光ファイバ伝送路３０２を介して一旦センタノードに送信し、センタノードが各リモートノードに下り信号光として光ファイバ伝送路３０１を介して送信することにより、リモートノード間の通信が行われる。
【００５１】
ここで、本実施形態の特徴は、無変調光および各信号光として、各リモートノードに対してそれぞれ固有の波長帯域を割り当て、かつ無変調光（上り信号光）と下り信号光の波長帯域を交互に設定するところにあるが、第１の実施形態とは下り信号光を伝送する光ファイバ伝送路が異なるとともに、多波長光から切り出した無変調光を各リモートノードに供給する点が異なる。具体的には、図９〜１１を参照して説明する。図９は、光波長多重リングネットワークの各地点の信号状態を示す。図１０は、センタノード１００の構成例を示す。図１１は、リモートノード２００−２の構成例を示す。なお、他のリモートノードの構成も同様である。
【００５２】
（センタノード１００の構成例）
図８，１０を参照してセンタノード１００の構成例について説明する。センタノード１００は、無変調光を生成する多波長光源１１０および光フィルタ部１６０と、下り信号光を生成する多波長光源１２０および光変調部１３０と、光ファイバ伝送路３０１に送信する無変調光および下り信号光を合波する光カプラ１０１と、光ファイバ伝送路３０２からの上り信号光を受信する光受信部１４０と、上り信号と下り信号のインタフェースをとる信号インタフェース部１５０により構成される。
【００５３】
多波長光源１１０，１２０は、第１の実施形態と同様であり、図９に示すように、多波長光源１１０が出力する多波長光▲１▼の帯域をＦ１，Ｆ３，Ｆ５，Ｆ７とし、多波長光源１２０が出力する多波長光▲２▼の帯域をＦ２，Ｆ４，Ｆ６，Ｆ８とする。
【００５４】
多波長光源１１０から出力される多波長光▲１▼は、光フィルタ部１６０に入力される。光フィルタ部１６０は、多波長光▲１▼を分波器１６１で複数（８波×４リモートノード）の波長チャネルの光に分波し、その各波長チャネル（ｆ11〜ｆ18、ｆ31〜ｆ38、ｆ51〜ｆ58、ｆ71〜ｆ78）の光を合波器１６２で波長多重し、無変調光▲３▼として光カプラ１０１を介して光ファイバ伝送路３０１に送出する構成である（図９では矢印なしで示す）。このとき、多波長光▲１▼の不要なサイドバンドは、分波器１６１および合波器１６２の合分波特性によって除去される。この無変調光▲３▼は、光ファイバ伝送路３０１を介して各リモートノードの上り信号光用として供給され、光ファイバ伝送路３０１を１周してセンタノード１００に戻り、光終端される。
【００５５】
多波長光源１２０から出力される多波長光▲２▼は、光変調部１３０に入力される。光変調部１３０は、多波長光▲２▼を分波器１３１で複数（８波×４リモートノード）の波長チャネルの光に分波し、その各波長チャネル（ｆ21〜ｆ28、ｆ41〜ｆ48、ｆ61〜ｆ68、ｆ81〜ｆ88）の光を各リモートノードに対応する光変調器１３２−１１〜１３２−１８、…、１３２−４１〜１３２−４８でそれぞれ変調し、その変調光を合波器１３３で波長多重し、下り信号光▲４▼として光カプラ１０１を介して光ファイバ伝送路３０１に送出する構成である（図９では下向きの矢印で示す）。このとき、多波長光▲２▼の不要なサイドバンドは、分波器１３１および合波器１３３の合分波特性によって除去される。この下り信号光▲４▼は、光ファイバ伝送路３０１を１周してセンタノード１００に戻り、光終端される。
【００５６】
各リモートノード２００−１〜２００−４では、光ファイバ伝送路３０１の下り信号光▲４▼からそれぞれ割り当てられた波長帯域Ｆ２の波長チャネルｆ21〜ｆ28、波長帯域Ｆ４の波長チャネルｆ41〜ｆ48、波長帯域Ｆ６の波長チャネルｆ61〜ｆ68、波長帯域Ｆ８の波長チャネルｆ81〜ｆ88の信号光をそれぞれ分波して受信する。さらに、光ファイバ伝送路３０１の無変調光▲３▼からそれぞれ割り当てられた波長帯域Ｆ１の波長チャネルｆ11〜ｆ18、波長帯域Ｆ３の波長チャネルｆ31〜ｆ38、波長帯域Ｆ５の波長チャネルｆ51〜ｆ58、波長帯域Ｆ７の波長チャネルｆ71〜ｆ78をそれぞれ分波し、それぞれ変調して上り信号光として光ファイバ伝送路３０２に送出する。このとき、図９の▲５▼、▲７▼、▲８▼、▲９▼に示すように、波長帯域Ｆ１，Ｆ３，Ｆ５，Ｆ７の上り信号光が順次合流してセンタノード１００に到達する（リモートノードの構成については後述する）。
【００５７】
センタノード１００の光受信部１４０は、光ファイバ伝送路３０２からの上り信号光▲９▼を分波器１４１で各波長チャネルの信号光に分波し、その各波長チャネル（ｆ11〜ｆ18、ｆ31〜ｆ38、ｆ51〜ｆ58、ｆ71〜ｆ78）の光を各リモートノードに対応する光受信器１４２−１１〜１４２−１８、…、１４２−４１〜１４２−４８でそれぞれ受信する。光受信器１４２−１１〜１４２−１８、…、１４２−４１〜１４２−４８と、光変調器１３２−１１〜１３２−１８、…、１３２−４１〜１３２−４８は、信号インタフェース部１５０にそれぞれ接続される。信号インタフェース部１５０は、リモートノード間の信号接続制御および他のネットワークとの信号接続制御を行う。
【００５８】
なお、本実施形態のセンタノード１００の光変調部１３０および光受信部１４０についても、第１の実施形態において図４に示した構成例Ｂと同様の構成をとることが可能である。
【００５９】
（リモートノードの構成例）
次に、図８，１１を参照してリモートノード２００−２の構成例について説明する。リモートノード２００−２は、光ファイバ伝送路３０１を伝送されている無変調光▲３▼および下り信号光▲４▼を分岐する光カプラ２０１と、リモートノード２００−２に割り当てられた波長帯域Ｆ３の各波長チャネルｆ31〜ｆ38の無変調光を分波し、変調して上り信号光▲６▼を生成し、また波長帯域Ｆ４の各波長チャネルｆ41〜ｆ48の下り信号光を受信する光変調部２１０／光受信部２２０と、上り信号光▲６▼を光ファイバ伝送路３０２に結合する光カプラ２０２と、下り信号を図外のユーザ端末に接続し、ユーザ端末からの上り信号を光変調部２１０に接続する信号インタフェース部２３０により構成される。
【００６０】
光変調部２１０／光受信部２２０は、光ファイバ伝送路３０１から分岐された無変調光▲３▼から分波器２１１でリモートノード２００−２に割り当てられた波長帯域Ｆ３の各波長チャネルｆ31〜ｆ38を分波し、その各無変調光を光変調器２１２−１〜２１２−８でそれぞれ変調し、その変調光を合波器２１３で波長多重し、上り信号光▲６▼として光ファイバ伝送路３０２に送出する構成である（図９では上向きの矢印で示す）。
【００６１】
さらに、光変調部２１０／光受信部２２０は、光ファイバ伝送路３０１から分岐された下り信号光▲４▼から分波器２１１でリモートノード２００−２に割り当てられた波長帯域Ｆ４の各波長チャネルｆ41〜ｆ48の信号光を分波し、光受信器２２２−１〜２２２−８でそれぞれ受信する。ここで、光受信器２２２−１〜２２２−８と、光変調器２１２−１〜２１２−８は、信号インタフェース部２３０を介してそれぞれ図外の端末に接続される。
【００６２】
以上示した第２の実施形態では、４つのリモートノードに対して、上り信号光および下り信号光としてそれぞれ１つの波長帯域を割り当てる例を示したが、リモートノードの数、各リモートノードに割り当てる波長帯域の数および配列は任意である。また、各波長帯域あたり８波の波長チャネルを設定しているがその数も任意である。
【００６３】
また、図１０に示したセンタノード１００の構成、図１１に示したリモートノード２００−２の構成には、必要最小限のもののみを記載しているが、例えば光増幅器、波長チャネル間の光パワーを均一にする光等化手段、ＡＳＥ光を除去する光バンドパスフィルタ等をそれぞれ所定の位置に配置してもよい。
【００６４】
また、本実施形態では、センタノードから各リモートノードへの多波長光および下り信号光の伝送に使用される光ファイバ伝送路３０１の伝送方向と、各リモートノードからセンタノードへの上り信号光の伝送に使用される光ファイバ伝送路３０２の伝送方向を同一方向（図では左回り）としたが、互いに異なる伝送方向としてもよい。すなわち、各リモートノードは、光ファイバ伝送路３０１を介して伝送された多波長光を変調し、上り信号光として光ファイバ伝送路３０２を介してセンタノードへ折り返すように伝送してもよい。
【００６５】
（冗長構成）
以上示した第１の実施形態および第２の実施形態の構成において、センタノードおよびリモートノードを構成する各装置、あるいは光ファイバ伝送路に障害が発生した場合の対応について説明する。
【００６６】
通常は、各装置および光ファイバ伝送路について、それぞれ現用系と予備系を備え、現用系に障害が発生したときに予備系に切り替える構成により対応する。なお、現用系の装置あるいは光ファイバ伝送路のいずれかに障害が発生したときに、装置および光ファイバ伝送路をセットで予備系に切り替える構成、あるいは障害となった装置あるいは光ファイバ伝送路のみを予備系に切り替える構成のいずれかで対応する。
【００６７】
また、現用系および予備系の光ファイバ伝送路を備えた構成において、センタノードおよびリモートノードからの送信側については、現用系および予備系の光ファイバ伝送路の両方に信号光を送出し、受信側で通常は現用系の光ファイバ伝送路を選択し、現用系の光ファイバ伝送路の障害時に予備系の光ファイバ伝送路に切り替えて受信するようにしてもよい。なお、第１の実施形態および第２の実施形態における光ファイバ伝送路３０１，３０２の伝送方向を互いに異なるように設定した構成では、予備系の光ファイバ伝送路を備えなくても、光ファイバ伝送路の障害に対応することが可能である。以下、第１の実施形態に対応する冗長構成例を第３の実施形態、第２の実施形態に対応する冗長構成例を第４の実施形態として説明する。
【００６８】
（第３の実施形態）
図１２は、本発明の光波長多重リングネットワークの第３の実施形態を示す。図において、センタノードおよびリモートノードの詳細な構成は、図３〜図７に示す構成と同様である。本実施形態では、センタノード１００の多波長光源１１０から出力される無変調光を光カプラ１０１で２分岐し、それぞれ光ファイバ伝送路３０１に互いに異なる方向に送信する。また、光変調部１３０から出力される下り信号光を光カプラ１０２で２分岐し、それぞれ光ファイバ伝送路３０２に互いに異なる方向に送信する。
【００６９】
リモートノード２００−２（他のリモートノードも同様）では、光ファイバ伝送路３０１を介して伝送される左回りの無変調光を光カプラ２０１ａで分岐し、右回りの無変調光を光カプラ２０１ｂで分岐し、光スイッチ２６１でその一方を選択して光変調部２１０に入力する。光変調部２１０から出力される上り信号光は、光カプラ２０１で２分岐され、それぞれ光ファイバ伝送路３０２に互いに異なる方向に送信される。また、光ファイバ伝送路３０２を介して伝送される左回りの下り信号光を光カプラ２０３ａで分岐し、右回りの下り信号光を光カプラ２０３ｂで分岐し、光スイッチ２６２でその一方を選択して光受光部２２０で受信する。
【００７０】
センタノード１００では、光ファイバ伝送路３０２を介して伝送される右回りの上り信号光と左回りの上り信号光を、光カプラ１０３，１０４でそれぞれ分岐し、光スイッチ１５１，１５２および光カプラ１０５で選択または合流させて光受信部１４０で受信する。なお、光ファイバ伝送路３０２を介して伝送される右回りの上り信号光と左回りの上り信号光の一方または両方を選択する機能を実現できれば、光スイッチ１５１，１５２および光カプラ１０５による構成に限らない。
【００７１】
ここで、光ファイバ伝送路３０１，３０２に異常がない場合には、センタノード１００から光ファイバ伝送路３０１に両方向に送信される無変調光、および光ファイバ伝送路３０２に両方向に送信される下り信号光の各一方を各リモートノードの光スイッチ２６１，２６２で選択し、各リモートノードから光ファイバ伝送路３０２に両方向に送信される上り信号光の一方をセンタノード１００の光スイッチ１５１，１５２の一方をオンとして受信する。
【００７２】
一方、例えばリモートノード２００−１とリモートノード２００−２の間の光ファイバ伝送路３０１，３０２に異常が発生した場合には、センタノード１００から光ファイバ伝送路３０１，３０２に両方向に送信された無変調光，下り信号光は、リモートノード２００−１には左回りに伝送された無変調光，下り信号光のみが到達し、リモートノード２００−４，２００−３，２００−２には右回りに伝送された無変調光，下り信号光のみが到達するので、各リモートノードではそれぞれの方向からの無変調光，下り信号光を選択する。また、リモートノード２００−１から光ファイバ伝送路３０２に両方向に送信された上り信号光のうち、右回りに伝送された上り信号光のみがセンタノード１００に到達し、リモートノード２００−４，２００−３，２００−２から光ファイバ伝送路３０２に両方向に送信された上り信号光のうち、左回りに伝送された下り信号光のみがセンタノード１００に到達するので、センタノード１００では光スイッチ１５１，１５２の両方をオンとして受信する。
【００７３】
このような構成および光スイッチの操作により、光ファイバ伝送路３０１，３０２のいずれかまたは両方に障害が発生しても、その障害点で折り返すような仕組みにより障害に対応させることができる。
【００７４】
（第４の実施形態）
図１３は、本発明の光波長多重リングネットワークの第４の実施形態を示す。図において、センタノードおよびリモートノードの詳細な構成は、図１０，１１に示す構成と同様である。本実施形態では、センタノード１００の多波長光源１１０および光フィルタ部１６０から出力される無変調光および光変調部１３０から出力される下り信号光は、光カプラ１０６でそれぞれ２分岐合流して光ファイバ伝送路３０１に互いに異なる方向に送信される。
【００７５】
リモートノード２００−２（他のリモートノードも同様）では、光ファイバ伝送路３０１を介して伝送される左回りの無変調光，下り信号光を光カプラ２０１ａで分岐し、右回りの無変調光，下り信号光を光カプラ２０１ｂで分岐し、光スイッチ２６１でその一方を選択して光変調部２１０／光受信部２２０に入力する。光変調部２１０から出力される上り信号光は、光カプラ２０２で２分岐され、それぞれ光ファイバ伝送路３０２に互いに異なる方向に送信される。
【００７６】
センタノード１００では、光ファイバ伝送路３０２を介して伝送される右回りの上り信号光と左回りの上り信号光を、光スイッチ１５１，１５２および光カプラ１０５で選択または合流させて光受信部１４０で受信する。なお、光ファイバ伝送路３０２を介して伝送される右回りの上り信号光と左回りの上り信号光の一方または両方を選択する機能を実現できれば、光スイッチ１５１，１５２および光カプラ１０５による構成に限らない。
【００７７】
ここで、光ファイバ伝送路３０１，３０２に異常がない場合には、センタノード１００から光ファイバ伝送路３０１に両方向に送信される無変調光，下り信号光の一方を各リモートノードの光スイッチ２６１で選択し、各リモートノードから光ファイバ伝送路３０２に両方向に送信される上り信号光の一方をセンタノード１００の光スイッチ１５１，１５２の一方をオンとして受信する。
【００７８】
一方、例えばリモートノード２００−１とリモートノード２００−２の間の光ファイバ伝送路３０１，３０２に異常が発生した場合には、センタノード１００から光ファイバ伝送路３０１に両方向に送信された無変調光，下り信号光は、リモートノード２００−１には左回りに伝送された無変調光，下り信号光のみが到達し、リモートノード２００−４，２００−３，２００−２には右回りに伝送された無変調光，下り信号光のみが到達するので、各リモートノードではそれぞれの方向からの無変調光，下り信号光を選択する。また、リモートノード２００−１から光ファイバ伝送路３０２に両方向に送信された上り信号光のうち、右回りに伝送された上り信号光のみがセンタノード１００に到達し、リモートノード２００−４，２００−３，２００−２から光ファイバ伝送路３０２に両方向に送信された上り信号光のうち、左回りに伝送された下り信号光のみがセンタノード１００に到達するので、センタノード１００では光スイッチ１５１，１５２の両方をオンとして受信する。
【００７９】
このような構成および光スイッチの操作により、光ファイバ伝送路３０１，３０２のいずれかまたは両方に障害が発生しても、その障害点で折り返すような仕組みにより障害に対応させることができる。
【００８０】
（第５の実施形態）
第１の実施形態（図１），第２の実施形態（図８），第３の実施形態（図１２）、第４の実施形態（図１３）の光波長多重リングネットワークにおける光ファイバ伝送路３０１，３０２は、一般に信号光の偏波状態を保持せず、その偏波状態が任意に変化する。したがって、リモートノード２００の光変調器２１２として、偏波依存性の大きい光強度変調器を用いるには、センタノード１００から各リモートノードに供給する無変調光に無偏光化を行う必要がある。
【００８１】
すなわち、図１，図３，図４，図８，図１０，図１２，図１３の構成では、多波長光源１１０の後段に無偏光化回路を配置する。このような無偏光化回路としては、例えば特開平９−３２６７５８号公報（短パルス光を用いた無偏光化送信方法および装置）や、特開平９−３２６７６７号公報（偏波スクランブリング方法および偏光変調器）に記載のものを用いることができる。
【００８２】
また、センタノード１００で下り信号光を生成する光変調部１３０の光変調器１３２として、偏波依存性の大きい光強度変調器を用いるには、同様に多波長光源１２０の後段に無偏光化回路を配置するか、あるいは多波長光源１２０から光変調器１３２までの間のすべての光部品を偏波保持型にする。
【００８３】
【発明の効果】
以上説明したように、本発明の光波長多重リングネットワークは、センタノードから各リモートノードに供給する無変調光（上り信号光）および下り信号光として、各リモートノードに対してそれぞれ固有の波長帯域を割り当て、かつ無変調光（上り信号光）と下り信号光の波長帯域を交互に設定し、センタノードの多波長光源から発生する不要なサイドバンドをセンタノードおよび各リモートノードの各変調操作の過程で効率的に除去する。これにより、高密度に各波長チャネルを設定することができ、簡単な構成で光周波数の利用効率を高めることができる。
【図面の簡単な説明】
【図１】本発明の光波長多重リングネットワークの第１の実施形態を示すブロック図。
【図２】光波長多重リングネットワークの各地点の信号状態を示す図。
【図３】センタノード１００の構成例Ａを示すブロック図。
【図４】センタノード１００の構成例Ｂを示すブロック図。
【図５】リモートノード２００−２の構成例Ａを示すブロック図。
【図６】リモートノード２００−２の構成例Ｂを示すブロック図。
【図７】リモートノード２００−２の構成例Ｃを示すブロック図。
【図８】本発明の光波長多重リングネットワークの第２の実施形態を示すブロック図。
【図９】光波長多重リングネットワークの各地点の信号状態を示す図。
【図１０】センタノード１００の構成例を示すブロック図。
【図１１】リモートノード２００−２の構成例を示すブロック図。
【図１２】本発明の光波長多重リングネットワークの第３の実施形態を示すブロック図。
【図１３】本発明の光波長多重リングネットワークの第４の実施形態を示すブロック図。
【図１４】先願の多波長一括発生装置の構成例を示す図。
【図１５】先願の多波長一括発生装置における出力光スペクトルの平坦化の原理を説明する図。
【図１６】先願の多波長一括発生装置における出力光スペクトルの平坦化の原理を説明する図。
【図１７】先願の多波長一括発生装置の他の構成例を示す図。
【図１８】先願の多波長一括発生装置の他の構成例の出力光スペクトルを示す図。
【符号の説明】
１００  センタノード
１０１，１０２，１０３，１０４，１０５，１０６  光カプラ
１１０，１２０  多波長光源
１３０  光変調部
１３１  分波器
１３２  光変調器
１３３  合波器
１３４  群分波器
１３５  群合波器
１４０  光受信部
１４１  分波器
１４２  光受信器
１４３  群分波器
１５０  信号インタフェース部
１６０  光フィルタ部
２００  リモートノード
２０１，２０２，２０３  光カプラ
２０５，２０６  光フィルタ
２１０  光変調部
２１１  分波器
２１２  光変調器
２１３  合波器
２１４，２１５  合分波器
２２０  光受信部
２２１  分波器
２２２  光受信器
２３０  信号インタフェース部
２６１，２６２  光スイッチ
３０１，３０２  光ファイバ伝送路
【図１】
0003860760.tif 000002
【図２】
0003860760.tif 000003
【図３】
0003860760.tif 000004
【図４】
0003860760.tif 000005
【図５】
0003860760.tif 000006
【図６】
0003860760.tif 000007
【図７】
0003860760.tif 000008
【図８】
0003860760.tif 000009
【図９】
0003860760.tif 000010
【図１０】
0003860760.tif 000011
【図１１】
0003860760.tif 000012
【図１２】
0003860760.tif 000013
【図１３】
0003860760.tif 000014
【図１４】
0003860760.tif 000015
【図１５】
0003860760.tif 000016
【図１６】
0003860760.tif 000017
【図１７】
0003860760.tif 000018
【図１８】
0003860760.tif 000019